(57)【要約】【課題】この発明は、ジャムを生じることなく複数枚の紙葉類を確実に施封できる紙葉類施封装置を提供することを課題とする。【解決手段】施封装置２４は、複数枚の集積した紙葉類Ｐの中央を押圧して湾曲させるスイーパ３２、湾曲により変位する紙葉類Ｐの両端部を押えるクランプアーム３５、帯Ｂを折り曲げる折り曲げ部材３７、３８、およびスイーパ３２の背面２ｂとの間で帯Ｂの両端を挟んで接着するヒータこて３４を有する。クランプアーム３５により紙葉類Ｐの両端部を押えることにより、折り曲げ部材３７、３８の移動経路上に紙葉類Ｐの端部が介在されることを防止でき、ジャムを生じることなく帯Ｂを確実に折り曲げることができる。【選択図】図２
2005067640.tif 000002
【特許請求の範囲】
【請求項１】
集積した複数枚の紙葉類の集積方向一端にある紙葉類の略中央を押圧することにより複数枚の紙葉類を湾曲させる押圧部材と、
湾曲することにより上記押圧部材による押圧方向と逆方向に変位する上記複数枚の紙葉類の両端部を押える押え部材と、
この押え部材の近傍で、湾曲した複数枚の紙葉類に上記帯を巻き回し、該帯の両端を接着する施封機構と、
を備えていることを特徴とする紙葉類施封装置。
【請求項２】
上記押圧部材は、上記帯を接着する接着面と面一となる背面を有し、上記施封機構は、接着のため重ねられた帯の両端を上記背面との間に挟んで接着せしめる接着部材を有することを特徴とする請求項１に記載の紙葉類施封装置。
【請求項３】
上記押圧部材の背面には弾性部材が設けられていることを特徴とする請求項２に記載の紙葉類施封装置。
【請求項４】
上記押え部材は、上記接着面と面一となる押え面を有することを特徴とする請求項２または３に記載の紙葉類施封装置。
【請求項５】
上記施封機構は、上記接着面に沿って上記帯を折り曲げる折り曲げ部材を有することを特徴とする請求項４に記載の紙葉類施封装置。
【請求項６】
複数の上記押え部材を有することを特徴とする請求項１に記載の紙葉類施封装置。
【請求項７】
上記複数の押え部材は、上記施封機構により折り曲げられる帯を案内すべく帯の巻回位置の両側に近接して設けられていることを特徴とする請求項６に記載の紙葉類施封装置。
【請求項８】
上記複数の押え部材は、折り曲げられる帯を案内するテーパー状のガイド部を有することを特徴とする請求項７に記載の紙葉類施封装置。
【発明の詳細な説明】
【技術分野】
【０００１】
この発明は、集積した複数枚の紙葉類を帯により施封する紙葉類施封装置に関する。
【背景技術】
【０００２】
従来、紙葉類施封装置として、集積した複数枚の紙葉類を湾曲させて帯により施封する施封装置が知られている（例えば、特許文献１参照。）。この装置は、集積方向一端にある紙葉類に円弧状の凸面を押し付けることにより複数枚の紙葉類を湾曲させ、湾曲した複数枚の紙葉類に帯を巻回せしめて両端を接着することにより複数枚の紙葉類を施封している。
【０００３】
しかし、複数枚の紙葉類を湾曲させた際、湾曲により変位した紙葉類の両端が帯の折り曲げ部材の移動経路上に介在し、ジャムを生じる問題があった。
【特許文献１】特開２０００−７２６３８号公報（要約書）
【発明の開示】
【発明が解決しようとする課題】
【０００４】
この発明の目的は、ジャムを生じることなく複数枚の紙葉類を確実に施封できる紙葉類施封装置を提供することにある。
【課題を解決するための手段】
【０００５】
上記目的を達成するため、本発明の紙葉類施封装置は、集積した複数枚の紙葉類の集積方向一端にある紙葉類の略中央を押圧することにより複数枚の紙葉類を湾曲させる押圧部材と、湾曲することにより上記押圧部材による押圧方向と逆方向に変位する上記複数枚の紙葉類の両端部を押える押え部材と、この押え部材の近傍で、湾曲した複数枚の紙葉類に上記帯を巻き回し、該帯の両端を接着する施封機構と、を備えている。
【０００６】
この発明の紙葉類施封装置では、湾曲により押圧方向と逆方向に変位する紙葉類の両端部を押え部材によって押えた状態で複数枚の紙葉類に帯を巻回せしめて施封するようにした。
【発明の効果】
【０００７】
この発明の紙葉類施封装置は、上記のような構成および作用を有しているので、ジャムを生じることなく複数枚の紙葉類を確実に施封できる。
【発明を実施するための最良の形態】
【０００８】
以下、図面を参照しながらこの発明の実施の形態について詳細に説明する。  
図１には、この発明の実施の形態に係る紙葉類施封装置を備えた紙葉類処理装置１０（以下、単に処理装置１０と称する）の概略構造を示してある。
【０００９】
処理装置１０は、所定枚数、例えば１０００枚の紙葉類を一単位として処理可能に構成され、処理装置１０の右端部には、１０００枚の紙葉類を積層状態で一括して順次自動投入する投入装置１２が接続されている。
【００１０】
処理装置１０は、投入された紙葉類を１枚づつ取り出す取出部１４、取り出された紙葉類を所定の搬送路１７に沿って搬送する搬送装置１６、搬送されている紙葉類から模様、寸法、搬送ピッチ等の情報を検出する判別部１８、検出結果に応じて紙葉類の搬送方向を区分する区分部２０、区分された紙葉類を集積する集積部２２、集積された紙葉類を所定枚数づつ施封する施封部２４、および廃棄処分される紙葉類を裁断および収納する失効部２３を備えている。
【００１１】
取出部１４の近傍には供給装置１１が設けられている。この供給装置１１は、投入装置１２から投入された紙葉類Ｐを受け取り取出部１４へ供給する。取出部１４の吸着回転ローラ１４ａは、紙葉類Ｐを１枚づつ所定のピッチで取り出して搬送装置１６へ受け渡す。搬送装置１６は、所定の搬送路１７に沿って配設された複数の搬送ベルト、駆動プーリ、駆動モータ等によって構成されている。
【００１２】
判別部１８は、搬送中の紙葉類Ｐの重ね取りを検知する重ね取り検知部、紙葉類Ｐに付された模様を読み取る読取装置、紙葉類Ｐの枚数を計数する計数装置等を備えて構成され、搬送路１７に沿って順に配設されている。
【００１３】
判別部１８において計数、模様読み取り、長さ検出された紙葉類Ｐはその検出結果に応じて複数種類、例えば、４種類の紙葉類に分けられ、各種類毎に区分集積される。区分部２０は搬送路１７に設けた３つの振り分けゲート２０ａ、２０ｂ、２０ｃを有し、各ゲートを選択的に切換えることにより紙葉類の搬送路を切換え、各紙葉類をその種類に応じた集積部２２へ導く。
【００１４】
集積部２２は、紙葉類の種類に応じた４つの集積装置２２ａ、２２ｂ、２２ｃ、２２ｄを備えている。また、施封部２４は、集積装置２２ａ、２２ｂ、２２ｃの下方にそれぞれ配設された３つの把施封装置２４ａ、２４ｂ、２４ｃ（紙葉類施封装置）（以下、単に施封装置と称する）、束施封部１９、および束包装部２１を備えている。失効部２３は、２つのシュレッダ２３ａ、２３ｂ、および廃棄箱２３ｃを備えている。
【００１５】
以下、図２を参照して、上述した施封装置について詳細に説明する。なお、３つの施封装置２４ａ、２４ｂ、２４ｃが同一の構成を有しているため、ここでは、施封装置２４としてその構成を詳細に説明する。
【００１６】
施封装置２４は、集積装置２２から送り出された集積状態の複数枚の紙葉類（以下、紙葉類Ｐと称する）を載置して受ける一対の支持板３１を有する。各支持板３１は、互いに略平行に立設され、紙葉類Ｐの集積方向下端にある紙葉類の長手方向に延びた両端辺近くに当接する上端辺部３１ａをそれぞれ有する。
【００１７】
一方、紙葉類Ｐの集積方向上端側には、細長いスイーパ３２（押圧部材）が設けられている。スイーパ３２は、紙葉類の長手方向に沿って延設され、紙葉類の略中央に対向して配置されている。スイーパ３２は、紙葉類を押圧する押圧面３２ａ、および紙葉類から離間した平らな背面３２ｂを有する。また、スイーパ３２の背面側には、後述するヒータこて３４（接着部材）との間で帯Ｂを接着する際に弾性変形する耐熱ゴム３３（弾性部材）が設けられている。なお、帯Ｂの一面側には加熱されることにより溶解して接着力を発生する接着剤が塗布されている。
【００１８】
しかして、図示しない駆動機構によりスイーパ３２を駆動して紙葉類Ｐの長手軸に沿った略中央位置を下方に押圧することにより、下端側で両端近くを支持板３１により支持した状態の紙葉類Ｐが下に凸となる図示の姿勢に湾曲される。
【００１９】
また、紙葉類Ｐの集積方向上端側には、湾曲により押圧方向と逆方向に変位（上昇）する紙葉類Ｐの両端部を押えるクランパアーム３５（押え部材）が設けられている。クランパアーム３５は、図示しない駆動機構により駆動され、図示の押え位置に配置される。クランパアーム３５は、押え位置に配置された状態で、理想的には上述したスイーパ３２の背面３２ｂとヒータこて３４との間のシール面３６（接着面）と面一に配置される押え面３５ａを有する。クランパアーム３５は、帯Ｂの巻回位置より紙面手前側にずれた位置で帯Ｂに近接した位置で紙葉類Ｐの両端部を押える。また、クランパアーム３５は、スイーパ３２に対向する中央部にスイーパ３２との接触を防止するための凹所３５ｂを有する。
【００２０】
紙葉類Ｐの集積方向上端近くであって図中左右両側には、帯Ｂを紙葉類Ｐに沿って折り曲げるための２つの折り曲げ部材３７、３８が設けられている。２つの折り曲げ部材３７、３８は、図示しない駆動機構によってタイミングをずらして略水平方向に動作され、上述したシール面３６に沿って帯Ｂを折り曲げる。
【００２１】
帯Ｂは、紙葉類Ｐの上端側に折り曲げられてその両端がスイーパ３２の背面３２ｂ上で重ねられ、ヒータこて３４によって耐熱ゴム３３に押し付けられ、接着剤が溶融されて接着される。ヒータこて３４は、図示しない駆動機構によって動作される。尚、このヒータこて３４、および２つの折り曲げ部材３７、３８は、本発明の施封機構として機能する。
【００２２】
ここで、上述したクランパアーム３５および耐熱ゴム３３を持たない施封装置の問題点について図３を参照して説明する。尚、ここでは、図２に図示した構成と同じ構成要素には同一符号を付してある。
【００２３】
一対の支持板３１上に載置された紙葉類Ｐがスイーパ３２の押圧により湾曲すると、紙葉類Ｐの両端部（図中丸で囲った部分）が上昇する。このまま折り曲げ部材３７、３８を動作させて帯Ｂを折り曲げようとすると、紙葉類Ｐの端部に折り曲げ部材３７、３８の先端が衝突してジャムを生じてしまう。特に、紙葉類が市場に流通した有価証券などである場合、紙葉類Ｐの集積方向の厚さが大きくなり変位により上方に突出する端部の突出量が多くなることが予想される。
【００２４】
また、このような一旦流通した紙葉類Ｐにスイーパ３２を押し付けて湾曲させると、紙葉類Ｐからの反発力によりスイーパ３２の姿勢が傾いてしまうことが考えられる。この場合、スイーパ３２の背面３２ｂがシール面３６と面一にならなくなり、ヒータこて３４を押し当てた際に両者が面接しなくなり、接着不良を生じてしまう。
【００２５】
これに対し、本実施の形態の施封装置２４は、クランプアーム３５を有するため、湾曲により変位する紙葉類Ｐの両端部をシール面３６と面一となる押え面３５ａで押えることができ、折り曲げ部材３７、３８の移動経路上に紙葉類Ｐの端部が介在されることがなく、ジャムを生じることなく帯Ｂを確実に折り曲げることができる。
【００２６】
また、本実施の形態の施封装置２４は、スイーパ３２の背面側に耐熱ゴム３３を備えているため、紙葉類Ｐの厚さ変化によってスイーパ３２が傾いた場合であっても、ヒータこて３４をスイーパ３２に密着させることができ、帯Ｂの接着不良を防止できる。
【００２７】
次に、上述したクランプアーム３５を改良した変形例４０について、図４および図５を参照して説明する。図４にはクランプアーム４０の展開図を示してあり、図５にはクランプアーム４０をその押圧方向から見た平面図（ａ）、および正面図（ｂ）を示してある。尚、ここでは、上述したクランプアーム３５と同様に機能する構成部分には同一符号を付して詳細な説明を省略する。
【００２８】
このクランプアーム４０は、概ね、上述したクランプアーム３５を２つ繋げた構造を有する。つまり、クランプアーム４０は、１枚の金属板を図４に示す形状に切断加工し、点線４１の部分で同じ方向に９０度ずつ折り曲げることにより形成される。尚、クランプアーム４０の連結部分の幅は、少なくとも折り曲げ部材３７、３８の幅より大きく設定されている。
【００２９】
そして、図５（ａ）に示すように、帯Ｂの両側で紙葉類Ｐの両端部を押えるように、クランプアーム４０を位置決め配置し、図５（ｂ）に示すように、紙葉類Ｐの両端部を押えた状態で帯Ｂを折り曲げる。このとき、帯Ｂの両端辺がクランプアーム４０の内面に設けられたガイド部材４２によって案内され、帯Ｂが真っ直ぐ折り曲げられる。尚、ガイド部材４２には、帯Ｂの進入位置にテーパー加工（テーパー状のガイド部）が施されている。
【００３０】
以上のように、帯Ｂの巻回位置の両側で紙葉類Ｐの両端部を押えることにより、紙葉類Ｐの湾曲による変位をより確実に押えることができるとともに、帯Ｂの折り曲げ時のガイド機能を与えることができ、帯Ｂを真っ直ぐに折り曲げることができる。これにより、帯Ｂの両端がずれて接着されてしまう不具合を防止できる。
【００３１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００３２】
例えば、上述した実施の形態では、紙葉類Ｐの湾曲に伴い変位する両端部を同時に押えるクランプアーム３５、４０を採用した場合について説明したが、これに限らず、紙葉類Ｐの両端部をそれぞれ独立して押える複数のクランプアームを用いても良い。当然のことながら、クランプアームの形状や個数は任意に変更できる。
【００３３】
また、上述した実施の形態では、クランプアーム３５、４０を移動させて紙葉類Ｐの両端部を押える場合について説明したが、これに限らず、予めクランプアームの押え面３５ａがシール面３６と面一になる位置にクランプアームを固定的に配置しておいても良い。この場合、クランプアームは、スイーパ３２の移動経路上に介在されることのない形状に形成する必要がある。
【図面の簡単な説明】
【００３４】
【図１】この発明の実施の形態に係る紙葉類施封装置を備えた紙葉類処理装置の概略構造を示す図。
【図２】図１の処理装置に組み込まれた施封装置の要部の構造を示す概略図。
【図３】クランプアームおよび耐熱ゴムを持たない施封装置の問題点を説明するための図。
【図４】図２の施封装置に組み込まれたクランプアームの変形例を示す展開図。
【図５】図４のクランプアームをその押圧方向から見た平面図（ａ）、および正面図（ｂ）。
【符号の説明】
【００３５】
１０…紙葉類処理装置、２４…施封装置、３２…スイーパ、３２ｂ…背面、３３…耐熱ゴム、３４…ヒータこて、３５、４０…クランプアーム、３６…シール面、３７、３８…折り曲げ部材、４２…ガイド部材、Ｂ…帯、Ｐ…紙葉類。
【図１】
2005067640.tif 000003
【図２】
2005067640.tif 000004
【図３】
2005067640.tif 000005
【図４】
2005067640.tif 000006
【図５】
2005067640.tif 000007